(57)【特許請求の範囲】
【請求項１】
電気機器の動作を制御する機器制御信号をユーザによる操作に応じて前記電子機器に通信手段を介して送信する機器操作手段を備えた携帯型情報処理端末であって、
前記電気機器の動作状況を表す機器状況情報を取得する機器状況情報取得手段と、予め定められた前記電気機器の設定情報を記憶する設定情報記憶手段と、取得した前記機器状況情報と記憶された前記設定情報とを比較する比較手段と、を備え、
前記機器操作手段は、前記比較手段による比較結果に応じて前記電気機器に前記機器制御信号の送信が可能なよう操作モードに移行する、
ことを特徴とする携帯型情報処理端末。
【請求項２】
前記機器操作手段は、前記比較手段による比較の結果、前記機器状況情報と前記設定情報とが異なる場合に前記操作モードに移行する、ことを特徴とする請求項１記載の携帯型情報処理端末。
【請求項３】
前記機器操作手段は、前記比較手段による比較の結果、前記機器状況情報と前記設定情報とが予め定められた値以上の差がある場合に操作モードに移行する、ことを特徴とする請求項２記載の携帯型情報処理端末。
【請求項４】
前記機器操作手段が前記操作モードに移行したときに、当該操作モードに移行した旨をユーザに通知する通知手段を備えた、ことを特徴とする請求項１，２又は３記載の携帯型情報処理端末。
【請求項５】
前記通知手段は、携帯型情報処理端末のディスプレイに操作モード画面を表示する、ことを特徴とする請求項４記載の携帯型情報処理端末。
【請求項６】
前記機器操作手段は、予め所定の記憶装置に記憶された前記機器制御信号を読み出して前記電気機器に送信する、ことを特徴とする請求項１，２，３，４又は５記載の携帯型情報処理端末。
【請求項７】
前記機器制御信号は、携帯型情報処理端末に装備された記憶装置に記憶されている、ことを特徴とする請求項６記載の携帯型情報処理端末。
【請求項８】
前記機器制御信号は、携帯型情報処理端末にてアクセス可能なネットワーク上の他のコンピュータの記憶装置に記憶されていると共に、
前記機器操作手段は、前記ネットワーク上の他のコンピュータから前記機器制御信号を取得する、ことを特徴とする請求項６記載の携帯型情報処理端末。
【請求項９】
前記機器状況情報取得手段は、前記電気機器から通信装置を介して送信された前記機器状況情報を受信して取得する、ことを特徴とする請求項１，２，３，４，５，６，７又は８記載の携帯型情報処理端末。
【請求項１０】
前記機器状況情報取得手段は、通信装置を介して接続され、前記電気機器から前記機器状況情報を収集する電気機器管理サーバから、送信された前記機器状況情報を受信して取得する、ことを特徴とする請求項１，２，３，４，５，６，７，８又は９記載の携帯型情報処理端末。
【請求項１１】
前記電気機器の動作状況は、電源のオンオフを含む、ことを特徴とする請求項１，２，３，４，５，６，７，８，９又は１０記載の携帯型情報処理端末。
【請求項１２】
前記電気機器の動作状況は、使用電気量を含む、ことを特徴とする請求項１，２，３，４，５，６，７，８，９，１０又は１１記載の携帯型情報処理端末。
【請求項１３】
請求項１乃至１２記載の携帯型情報処理端末と、
前記携帯型情報処理端末に前記機器状況情報を発信すると共に、当該携帯型情報処理端末から前記機器制御信号を受信して自己の動作を制御する電子機器と、
を備えたことを特徴とする電子機器制御システム。
【請求項１４】
請求項１乃至１２記載の携帯型情報処理端末と、
電子機器にネットワークを介して接続され当該電子機器から前記機器状況情報を取得して前記携帯型情報処理端末に発信する電気機器管理サーバと、
この電気機器管理サーバに前記機器状況情報を送信すると共に、前記携帯型情報処理端末から前記機器制御信号を受信して自己の動作を制御する電子機器と、
を備えたことを特徴とする電子機器制御システム。
【請求項１５】
携帯型情報処理端末に、
電気機器の動作状況を表す機器状況情報を取得する機器状況情報取得手段と
取得した前記機器状況情報と、予め記憶された前記電気機器の設定情報と、を比較する比較手段と、
この比較手段による比較結果に応じて操作モードに移行すると共に、当該操作モードにおいてユーザによる操作に応じて前記電気機器の動作を制御する機器制御信号を前記電子機器に通信手段を介して送信する機器操作手段と、
を実現するためのプログラム。
【請求項１６】
携帯型情報処理端末にて電気機器の動作を制御する電子機器操作方法であって、
前記電子機器の動作状況を表す機器状況情報を取得し、この機器状況情報と携帯型情報処理端末内に記憶された前記電気機器の設定情報とを比較し、この比較結果に応じて前記電気機器に電気機器の動作を制御する機器制御信号の送信が可能なよう操作モードに移行し、その後、ユーザによる操作に応じて前記機器制御信号を前記電子機器に送信する、
ことを特徴とする電子機器操作方法。
【発明の詳細な説明】
【技術分野】
【０００１】
本発明は、携帯型情報処理端末にかかり、特に、電気機器を遠隔操作可能な携帯型情報処理端末に関する。
【背景技術】
【０００２】
従来、エアコンやテレビ、証明などの家庭用、業務用などの電気機器の操作は、電気機器自体に装備されている操作部から操作指令を入力したり、専用のリモコンに操作指令を入力することにより行っていた。
【０００３】
また、近年では、ネットワーク技術の向上により、電気機器をネットワークに接続し、当該ネットワークを介して接続されたパーソナルコンピュータや携帯電話などからの操作も可能とするような技術が開発されている。そして、このことを実現するために、電気機器の設定や状況を検出して、ユーザの携帯電話などに通知する技術も開発されている。
【０００４】
そして、上述した技術を利用して、下記の特許文献１では、電気機器の消し忘れを防止するシステムが開示されている。具体的には、電気機器の状況、特に、コンセントに装備した検出回路にて電流を検出し、その波形を通信器に出力する。そして、通信器からホームサーバに通知され、インターネットを介してユーザの携帯電話などに通知される。これを受けた携帯電話では、検出した電流値に基づいて電気機器の電源が入った状態であるか否かを判断し、スイッチを切る信号を送信して電気機器を遠隔操作するなど、対応を採る。
【０００５】
【特許文献１】特開２００３−２５９５６９号公報
【発明の開示】
【発明が解決しようとする課題】
【０００６】
しかしながら、上述した技術は、電気機器を遠隔制御する技術であり、特に、その電源を管理するシステムであるものの、こまめにその状況を設定することはできない。つまり、電気機器を使用するユーザにとって最適な設定にしたり、省エネの観点から電気使用量を抑制するなど、こまめな調整を行うことが困難である。
【０００７】
このため、本発明では、上記従来例の有する不都合を改善し、特に、ユーザが容易に所望の電気機器の設定を行うことができるシステムを提供することをその目的とする。
【課題を解決するための手段】
【０００８】
そこで、本発明の一形態は、
電気機器の動作を制御する機器制御信号をユーザによる操作に応じて電子機器に通信手段を介して送信する機器操作手段を備えた携帯型情報処理端末であって、
電気機器の動作状況を表す機器状況情報を取得する機器状況情報取得手段と、予め定められた電気機器の設定情報を記憶する設定情報記憶手段と、取得した機器状況情報と記憶された設定情報とを比較する比較手段と、を備え、
機器操作手段は、比較手段による比較結果に応じて電気機器に機器制御信号の送信が可能なよう操作モードに移行する、
ことを特徴としている。
【０００９】
上記発明によると、まず、携帯型情報処理端末は電気機器から現在の動作状況を表す機器状況情報を取得し、この機器状況情報と、予め記憶されている設定情報とを比較する。そして、その比較結果に応じて、携帯型情報処理端末は電気機器に対する操作モードとなる。このため、ユーザが携帯型情報処理端末にて操作指令を入力することで、通信手段を介して電気機器に送信され、当該電気機器の操作が可能となる。従って、携帯電話に自己に適切な電気機器の設定情報を設定しておくことができ、これと実際の動作状況が異なる場合などには、自動的に操作モードとなるため、迅速かつこまめに、電気機器の動作を制御することができる。
【００１０】
また、機器操作手段は、比較手段による比較の結果、機器状況情報と設定情報とが異なる場合に操作モードに移行する、ことを特徴としている。このとき、機器操作手段は、比較手段による比較の結果、機器状況情報と設定情報とが予め定められた値以上の差がある場合に操作モードに移行する、ようにしてもよい。
【００１１】
これにより、携帯型情報処理端末は、設定情報と実際の機器状況が異なり、操作が必要な場合に操作モードに移行するため、ユーザは必要に応じて操作することができ、利便性の向上を図ることができる。
【００１２】
また、機器操作手段が操作モードに移行したときに、当該操作モードに移行した旨をユーザに通知する通知手段を備えた、ことを特徴としている。このとき、通知手段は、携帯型情報処理端末のディスプレイに操作モード画面を表示する、ことを特徴としている。
【００１３】
これにより、ユーザは電気機器の操作が必要なときに、そのことを迅速に認識することができると共に、操作モード画面がディスプレイに表示されることで、かかる操作を行うことができ、迅速な対応を行うことができる。
【００１４】
また、機器操作手段は、予め所定の記憶装置に記憶された機器制御信号を読み出して電気機器に送信する、ことを特徴としている。また、機器制御信号は、携帯型情報処理端末に装備された記憶装置に記憶されている、ことを特徴としている。あるいは、機器制御信号は、携帯型情報処理端末にてアクセス可能なネットワーク上の他のコンピュータの記憶装置に記憶されていると共に、機器操作手段は、ネットワーク上の他のコンピュータから機器制御信号を取得する、という構成にしてもよい。
【００１５】
これにより、予め所定の記憶装置に用意されている制御信号を取得して、制御指令を発することで電子機器の制御を行うことができるため、電子機器の操作を容易に行うことができる。
【００１６】
また、機器状況情報取得手段は、電気機器から通信装置を介して送信された機器状況情報を受信して取得する、ことを特徴としている。また、機器状況情報取得手段は、通信装置を介して接続され、電気機器から機器状況情報を収集する電気機器管理サーバから、送信された機器状況情報を受信して取得する、ことを特徴としている。
【００１７】
これにより、携帯型情報処理端末は、電気機器自身から機器状況情報を取得することができるため、より正確な機器の情報を取得することができ、的確な機器制御を実現できる。また、管理サーバを介して取得した場合には、まとめて複数の電気機器の機器状況方法を取得することができ、利便性が向上しうる。
【００１８】
なお、電気機器の動作状況としては、例えば、電源のオンオフや、使用電気量を含む、ことを特徴としている。
【００１９】
また、本発明の他の形態である電子機器制御システムは、上述した携帯型情報処理端末と、携帯型情報処理端末に機器状況情報を発信すると共に、当該携帯型情報処理端末から機器制御信号を受信して自己の動作を制御する電子機器と、を備えている。
【００２０】
また、電子機器制御システムの他の構成としては、上述した携帯型情報処理端末と、電子機器にネットワークを介して接続され当該電子機器から機器状況情報を取得して携帯型情報処理端末に発信する電気機器管理サーバと、この電気機器管理サーバに機器状況情報を送信すると共に、携帯型情報処理端末から機器制御信号を受信して自己の動作を制御する電子機器と、を備えたことを特徴としている。
【００２１】
また、本発明の他の形態であるプログラムは、
携帯型情報処理端末に、
電気機器の動作状況を表す機器状況情報を取得する機器状況情報取得手段と
取得した機器状況情報と、予め記憶された電気機器の設定情報と、を比較する比較手段と、
この比較手段による比較結果に応じて操作モードに移行すると共に、当該操作モードにおいてユーザによる操作に応じて電気機器の動作を制御する機器制御信号を電子機器に通信手段を介して送信する機器操作手段と、
を実現する、ことを特徴としている。
【００２２】
さらに、本発明の他の形態である電子機器操作方法は、
携帯型情報処理端末にて電気機器の動作を制御する電子機器操作方法であって、
電子機器の動作状況を表す機器状況情報を取得し、この機器状況情報と携帯型情報処理端末内に記憶された電気機器の設定情報とを比較し、この比較結果に応じて電気機器に電気機器の動作を制御する機器制御信号の送信が可能なよう操作モードに移行し、その後、ユーザによる操作に応じて機器制御信号を前記電子機器に送信する、
ことを特徴としている。
【００２３】
上述したように構成されたシステムやプログラム、方法によると、上記携帯型情報処理端末と同様に作用するため、上述した本発明の目的を達成することができる。
【発明の効果】
【００２４】
本発明は、以上のように構成され機能するので、これによると、ユーザは自己の携帯端末に自分にとって適切な電気機器の設定情報を設定しておくことができ、これと実際の動作状況が異なる場合などには、自動的に操作モードとなるため、迅速かつこまめに、電気機器の動作を制御することができ、利便性の向上を図ることができる、という従来にない優れた効果を有する。
【発明を実施するための最良の形態】
【００２５】
本発明は、携帯型情報処理端末にて、自己の設定した設定値と実際の電気機器の状況とを比較して、これに応じて電気機器の調整が可能であることを特徴としている。以下、携帯型情報処理端末として携帯電話を一例に挙げ、また、電気機器は、家庭内のヒーター、テレビ、照明、エアコン、冷蔵庫などであるとして、実施例にて説明する。但し、携帯型情報処理端末は、他のＰＤＡなどの端末であってもよく、また、電気機器は、家庭用の電気機器であることに限定されず、他の機器であってもよい。
【実施例１】
【００２６】
本発明の第１の実施例を、図１乃至５を参照して説明する。図１は、本発明であるシステムの全体構成を示す概略図である。図２乃至図３は、携帯電話の構成を示すブロック図である。図４は、電気機器の構成を示すブロック図である。図５は、携帯電話の動作を示すフローチャートである。
【００２７】
［構成］
図１に示すように、本発明である電気機器制御システムは、ユーザが操作する携帯電話１と、ユーザ宅に設置された複数の電気機器２と、これら電気機器２にネットワークＮを介して接続された管理装置３と、を備えている。なお、電気機器２は、例えば、符号Ａ，Ｂにて示す部屋や異なる場所に設置されている。以下、各装置について詳述する。
【００２８】
＜携帯電話＞
携帯電話１（携帯型情報処理端末）は、一般的な携帯電話であり、例えば、通話機能や、図示しない無線基地局装置を介して通信ネットワークとの間で情報（パケットデータ）の送受を行う機能を有する。特に、後述するように、電子機器に対して、遠隔制御（リモコン）機能を備えている。
【００２９】
そして、図２に示すように、携帯電話１は、無線通信部１０１と、ＲＦＩＤ受信部１０２と、表示部１０３と、操作部１０４と、音声処理部１０５と、送話部１０６と、受話部１０７と、赤外線送信部１０８と、スピーカ１０９と、メモリ１１０と、制御部１１１と、を備えており、これらによって主に構成される。以下、各部について詳述する。
【００３０】
無線通信部１０１は、アンテナを介して図示しない無線基地局装置との間で無線信号を送受する機能を有する。また、ＲＦＩＤ受信部１０２は、アンテナコイル、メモリなどで構成され、所定空間（距離）内にあるＲＦＩＤライタから発信される電波を受信することにより電力の供給を受け、当該ＲＦＩＤライタとの間で通信（情報の記録）が可能である。表示部１０３は、画像、図形、文字、記号などの各種情報の表示出力を行う。操作部１０４は、テンキー、スクロールキー、決定キー等から構成され各種情報入力を行う。音声処理部１０５は、送話部１０６および受話部１０７を介して入出力された音声信号の処理を行う。
【００３１】
また、赤外線送信部１０８は、所定空間（距離）内にある被制御機器に赤外線により制御信号（リモコン信号）を出力する。スピーカ１０９は、楽音、音声、報知音などの鳴音出力を行う。メモリ１１０は、電話帳、送受信メール、発着呼等の通信に係わる情報、アプリケーションプログラム、コンテンツ情報、端末の設定情報等を格納する。制御部１１１は、通信ネットワークを介する無線通信機能、赤外線送信機能、その他携帯端末の機能、端末各部の制御を行う。
【００３２】
そして、本実施例では、さらに、上記制御部１１１やメモリ１１０が図３に示すように構成されている。つまり、ＣＰＵなどの制御部１１１には、所定のプログラムが組み込まれることにより、機器状況情報取得処理部１１と、比較処理部１２と、機器操作処理部１３と、が構築されている。また、メモリ１１０には、設定情報記憶部１５が形成されている。以下、さらに詳述する。
【００３３】
まず、設定情報記憶部１５（設定情報記憶手段）には、予めユーザによって設定された自己にとって望ましいとされる電子機器２の設定情報が記憶されている。例えば、設定情報は、電子機器がエアコンである場合には、設定温度や風量、湿度、さらには、使用電力量などを設定する情報である。
【００３４】
そして、機器状況情報取得処理部１１（機器状況情報取得手段）は、電気機器２の動作状況を表す機器状況情報を取得する。例えば、後述するように、電気機器２に搭載されたＲＦＩＤリーダライタ２０２によって出力された情報を受信して取得し、比較処理部１２に渡す。なお、この機器状況情報取得処理部１１は、後述する管理装置３に搭載されたＲＦＩＤリーダライタから送信された電気機器２の機器状況情報を受信して取得することも可能である。このとき、機器状況情報とは、電気機器２自身によって検出された現在の可動状況を表す情報であって、上記設定情報と比較される値である。
【００３５】
また、比較処理部１２（比較手段）は、上記機器状況情報取得処理部１１にて取得した機器状況情報と、設定情報記憶部１５に記憶された設定情報と、を比較する。具体的には、機器状況情報と設定情報との大小を比較したり、その差が予め設定された値以上か否かを判断する。そして、その比較結果を機器操作処理部１３に通知する。
【００３６】
機器操作処理部１３（機器操作手段、通知手段）は、受け付けた比較結果に応じて電気機器２に機器制御信号の送信が可能なよう操作モードに移行する。つまり、機器状況情報と設定情報とに差があった場合や、その差が一定値以上であった場合に、操作モード画面を表示部１０３（ディスプレイ）に表示する。なお、操作モード画面を表示する以外に、アラームを鳴らすなどしてユーザに操作モードに移行したことを通知してもよい。
【００３７】
また、機器操作処理部１３は、上述したように操作モードに移行すると、かかる操作モード画面上にて、ユーザが入力した電子機器２に対して機器制御信号を送信する操作を受け付けることができる。そして、操作部１０４から機器制御信号を送信する旨の操作を受けると、上述した設定情報記憶部１５に記憶されている設定情報を読み出して、かかる設定値を機器制御信号として電気機器２に送信するよう作動する。このとき、機器制御信号は、赤外線送信部１０８から電気機器２に送信される。なお、例えば、設定情報として具体的な情報がユーザにて直接、操作部１０４から入力されてもよい（例えば、エアコンの設定温度：「２４℃」といった情報）。また、機器制御信号は、別途、携帯電話１内に記憶されており、それを読み出して電気機器２に送信してもよい。
【００３８】
そして、上記機器制御信号の内容は、例えば、電気機器２の動作状況に対応した情報であり、電気機器のオンオフを表す情報や、使用電気量情報などである。
【００３９】
＜電気機器＞
次に、電気機器２の構成について図４を参照して説明する。電気機器２は、上述したように、テレビ、照明、エアコン、冷蔵庫等の電気機器であって、特に、上記携帯電話１からの機器制御信号を受信するための赤外線受信部２０５を備えている。そして、当該機器の設定として、例えば、設定温度、風量、輝度、音量、照度などの設定、ＯＮ/ＯＦＦ制御がなされる。
【００４０】
図４を参照すると、電気機器２は、ＮＷ通信部２０１と、リーダライタ２０２と、機器検出部２０３と、メモリ２０４と、赤外線受信部２０５と、機器制御部２０６と、制御対象回路２０７と、を備えている。以下、各部について詳述する。
【００４１】
ＮＷ通信部２０１は、通信ネットワークを介して管理装置３００に情報の送信を行う。ＲＦＩＤリーダライタ２０２は、所定のタイミングで無線電波を発信することにより所定空間（距離）内にある無線ＩＣチップ（ＲＦＩＤ）との間で通信を行い、当該無線ＩＣチップ（ＲＦＩＤ）に情報を書き込む。また、機器検出部２０３は、電源ＯＮ/ＯＦＦ状態を含む機器の設定、電力消費量などの機器状況情報を検出する。そして、この機器状況情報が、上記ＲＦＩＤリーダライタ２０２にて携帯電話１に対して送信されたり、あるいは、ＮＷ通信部２０３から管理装置３００に送信される。なお、上記機器状況情報は、ＲＦＩＤリーダライタではなく、Bluetoothなどの他の近距離無線通信手段にて送信されてもよい。
【００４２】
また、メモリ２０４は、機器の設定情報等を格納する。赤外線受信部２０８は、上述したように、所定空間（距離）内にある携帯電話１より赤外線制御信号（リモコン信号）である上述した機器制御信号を受信する。また、機器制御部２０６は、例えば、温度、風量、輝度、音量、照度などの制御を行う制御対象回路の制御、機器全体の制御を行う。
【００４３】
＜管理装置＞
次に、管理装置３（電気機器管理サーバ）について説明する。管理装置３は、複数の電気機器の設定状態や機器情報を統合管理する情報処理装置（サーバコンピュータ）である。そして、ネットワークＮを介して電気機器２より送信された設定状態や機器情報を受信する機能、無線電波を発信することにより所定空間（距離）内にある無線ＩＣチップ（ＲＦＩＤ）との間で通信を行い、当該無線ＩＣチップ（ＲＦＩＤ）に情報を書き込むＲＦＩＤリーダライタを有する。つまり、このＲＦＩＤリーダライタは、携帯電話１のＲＦＩＤ受信部１０２に対して機器状況情報を送信する。このとき、電気機器２を特定する情報も関連付けて送信する。なお、上記機器状況情報は、ＲＦＩＤリーダライタではなく、Bluetoothなどの他の近距離無線通信手段にて送信されてもよい。
【００４４】
［動作］
次に、上記構成の携帯電話１の動作を、図５を参照して説明する。まず、携帯電話１の制御部１１１は、受信部（ＲＦＩＤ）１０２を介して電気機器２、あるいは、管理装置３のＲＦＩＤリーダライタ２０２から、書込情報として電気機器２の機器状況情報（例えば、温度、風量、輝度、音量、照度、電力消費量）を取得する（ステップＳ１）。すると、この情報を表示部１０３に表示すると共に、予めユーザにより登録された電気機器２の設定情報と、取得した機器状況情報と、を比較する（ステップＳ２）。このとき、検出した機器状況情報が設定値を外れていたり、その差が所定値以上である場合には（ステップＳ２にて肯定判断）、制御対象となる電子機器２を示す情報や、検出した機器状況情報、さらには、操作モードである旨の情報を、表示部１０３に表示して、電子機器に制御信号を送信可能な操作モード（リモコンモード）に移行する（ステップＳ３）。
【００４５】
続いて、この操作モード画面に対して、ユーザは電子機器２の操作が必要であると判断した場合には、操作部１０４から設定変更操作を行う（ステップＳ４にて肯定判断）。これを検出した制御部１１１は、メモリ１１０から設定情報を読み出し（ステップＳ５）、これを機器制御指令（機器制御コマンド）として、電気機器２に送信する（ステップＳ６）。なお、このとき、ユーザは、携帯電話１の赤外線送信部１０８を、電気機器の赤外線受信部２０５に向ける。
【００４６】
なお、携帯電話１が上述した管理装置３から、複数の電気機器２の機器状況情報を一度に受信した場合の動作について説明する。まず、受信した機器状況情報の電気機器２を識別し、各機器ごとに設定情報との比較を行う。そして、比較の結果、設定値から外れている電気機器２、あるいは、いずれかのエリアＡ，Ｂに設置されている機器２を表示部１０３に表示し、これによって上述した操作モードに移行する。そして、それを見てユーザが特定の電気機器２を選択すると、かかる機器２に対する機器制御指令が読み出され、当該機器２に送信される。
【００４７】
このようにすることにより、ユーザは、携帯電話１に自己にとって適切な電気機器２の設定情報を設定しておくことができ、これと実際の動作状況が異なる場合などには、自動的に操作モードとなるため、迅速、かつ、こまめに、電気機器の動作を制御することができ、利便性の向上を図ることができる。
【実施例２】
【００４８】
次に、本発明の第２の実施例を、図６乃至図７を参照して説明する。図６は本実施例における携帯電話の構成を示すブロック図であり、図７はその動作を示すフローチャートである。
【００４９】
［構成］
図６に示すように、本実施例における携帯電話１は、上記実施例１に開示した携帯電話とほぼ同様の構成を採っている。これに加えて、本実施例では、メモリ１６に、機器制御指令を表す情報（機器制御コマンド）を蓄積した制御情報管理サーバ４にアクセスするためのＵＲＬが記憶されている（ＵＲＬ記憶部１６）。これに伴い、機器操作処理部１３には、操作モード移行時に、操作部１０４から設定変更操作が入力されると、上記ＵＲＬ記憶部１０４からＵＲＬを読み出して、かかるＵＲＬに無線通信部１０１を介してアクセスし、接続制御管理サーバ４から機器制御指令をダウンロードする。そして、ダウンロードした機器制御指令を機器制御コマンドとして電気機器２に送信する。
【００５０】
［動作］
上記構成の携帯電話１の動作を、図７を参照して説明する。まず、携帯電話１にて操作モードに移行し、操作モード画面に対して、ユーザは電子機器２の操作が必要であると判断した場合には、操作部１０４から設定変更操作を行うまでは上述同様である（ステップＳ１１〜Ｓ１４）。このとき、機器制御指令の情報が携帯電話１に記憶されていない場合には（ステップＳ１５にて否定判断）、ＵＲＬを読み出して、かかるＵＲＬにアクセスし、ここから機器制御信号をダウンロードして取得する（ステップＳ１７）。そして、このダウンロードした機器制御信号を機器制御コマンドとして、赤外線送信部１０８から電気機器２に送信する（ステップＳ１８）。
【００５１】
なお、上記ＵＲＬが、電気機器２から出力される機器状況情報に含まれていてもよい。つまり、機器状況情報を取得して設定情報と比較し、これによって制御が必要と判断した場合には、かかる機器状況情報に含まれるＵＲＬを抽出して、かかるＵＲＬが示すウェブサイト（制御情報管理サーバ４）にアクセスして、機器制御指令をダウンロードしてもよい。
【実施例３】
【００５２】
次に、本発明の第３の実施例を、図８を参照して説明する。図８は、本実施例における動作を示すフローチャートである。
【００５３】
［構成］
本実施例では、携帯電話１にて制御する電気機器２の動作状況として、電源のオンオフも含まれている。つまり、携帯電話１の制御部１１１、具体的には、機器操作処理部１３は、電源がオフである電気機器２を検出して、その電気機器に対して電源をオンにする機器制御信号を出力する機能を有している。
【００５４】
［動作］
図８を参照して動作を説明する。まず、電気機器２から、あるいは、管理装置３から、電気機器２の機器状況情報を取得すると（ステップＳ２１）、当該機器状況情報から電源が入っていないなどの休止状態であるか否かを検出する（ステップＳ２２)。例えば、機器状況情報が取得できていない場合には、機器状況情報取得処理部１１あるいは比較処理部１２にてそのことを判断し、機器操作処理部１３に通知する。電気機器２が休止状態である通知を受けた機器操作処理部１３は（ステップＳ２２にて肯定判断）、操作モード画面を表示部１０３に表示する（ステップＳ３１）。これに対して、ユーザから対象となる電気機器２の電源をオンとする操作がなされると（ステップＳ３２にて肯定判断）、電気機器２の電源をオンとする機器制御信号がメモリ１５から読み出され（ステップＳ３３）、かかる制御信号が電子機器２に送信される（ステップＳ３４）。これにより、電気機器２の電源をオンとする遠隔操作を行うことができる。なお、それ以降の設定を調整する動作（ステップＳ２１〜Ｓ３０）は、上述した動作と同様である。
【実施例４】
【００５５】
上記では、携帯電話１は、電気機器２や管理装置３との近距離無線通信により、電気機器２の機器状況情報を取得した場合を例示したが、これらの通信をインターネットなどの通信ネットワークを介して行ってもよい。例えば、管理装置３がインターネットなどの通信ネットワークに接続されたワークステーションサーバ等の情報処理装置であり、携帯電話１が通信ネットワークを介して管理装置３と通信を行い、電気機器２の機器状況を取得して把握、管理する。また、携帯電話１からの機器制御信号を管理装置３を介して電気機器２に送信するようにしてもよい。さらには、携帯電話１からの機器制御信号を、通信ネットワークを介して電気機器２に送信するように構成してもよい。
【００５６】
このようにすることで、例えば、ユーザが在宅していなくても、外出先などで電気機器２の設定や電気使用量をリアルタイムに把握でき、当該電気機器２の制御をこまめに調整することができる。その結果、電気使用量を抑えたり、帰宅時に快適なよう電気機器を設定するなど、利便性の向上を図ることができる。
【産業上の利用可能性】
【００５７】
本発明は、携帯型情報処理端末を、電気機器を操作するためのリモコンとして利用することができ、ユーザの利便性が向上するため、産業上の利用可能性を有する。
【図面の簡単な説明】
【００５８】
【図１】本発明の全体構成を示す概略図である。
【図２】携帯電話の構成を示すブロック図である。
【図３】携帯電話の制御部及びメモリの構成を示す機能ブロック図である。
【図４】電気機器の構成を示すブロック図である。
【図５】実施例１における携帯電話の動作を示すフローチャートである。
【図６】実施例２における携帯電話の制御部及びメモリの構成を示す機能ブロック図である。
【図７】実施例２における携帯電話の動作を示すフローチャートである。
【図８】実施例３における携帯電話の動作を示すフローチャートである。
【符号の説明】
【００５９】
１  携帯電話（携帯型情報処理端末）
２  電気機器
３  管理装置（電気機器管理サーバ）
４  制御情報管理サーバ
１１  機器状況情報取得処理部（機器状況情報取得手段）
１２  比較処理部（比較手段）
１３  機器操作処理部（機器操作手段）
１５  設定情報記憶部（設定情報記憶手段）
１６  ＵＲＬ記憶部
１０１  無線通信部
１０２  受信部（ＲＦＩＤ）
１０３  表示部
１０４  操作部
１０５  音声処理部
１０６  送話部
１０７  受話部
１０８  赤外線送信部
１０９  スピーカ
１１０  メモリ
１１１  制御部
２０１  ＮＷ通信部
２０２  リーダライタ
２０３  機器検出部
２０４  メモリ
２０５  赤外線受信部
２０６  機器制御部
２０７  制御対象回路
【図１】
0004626475.tif 000002
【図２】
0004626475.tif 000003
【図３】
0004626475.tif 000004
【図４】
0004626475.tif 000005
【図５】
0004626475.tif 000006
【図６】
0004626475.tif 000007
【図７】
0004626475.tif 000008
【図８】
0004626475.tif 000009